(57)【要約】【課題】瞬時動作データが目標動作データからずれた場合に簡単に補正して駆動制御できる電気光学的ディスプレイを提供すること。【解決手段】検出される動作データが、光源または有機発光ダイオードの動作温度、および／または該光源の全動作時間、および／または該光源または有機発光ダイオードの駆動電流、および／または該光源または有機発光ダイオードの明るさであり、該検出されるデータは制御ユニットにおいて、特性曲線または目標値として記憶された目標動作データと比較され、該補正制御は、該光源または有機発光ダイオードの駆動電流をトラッキングすることによって、および／または該光源または有機発光ダイオードのパルス幅変調を変化させることによって、および／または電気光学的ディスプレイのグラフィックス制御部のグラフィックスメモリに記憶されたカラー値を修正することによって行われるように構成すること。【選択図】図１
2006039553.tif 000002
【特許請求の範囲】
【請求項１】
電気光学的ディスプレイであって、
グラフィックス制御部を有しており、
該電気光学的ディスプレイの表示フィールドを透過的に照明するための１つまたは複数の光源を有するか、または複数の有機発光ダイオード（ＯＬＥＤ）から成る表示フィールドを有しており、
該電気光学的ディスプレイの瞬時作動データを検出するための１つまたは複数のセンサを有しており、
該瞬時作動データは制御ユニットへ供給されて目標作動データと比較され、該瞬時作動データが目標作動データからずれている場合、該制御ユニットによって該電気光学的ディスプレイの補正制御が行われる形式のものにおいて、
検出される作動データは、該光源または有機発光ダイオードの動作温度、および／または該光源の全動作時間、および／または該光源または有機発光ダイオードの駆動電流、および／または該光源または有機発光ダイオードの明るさであり、
前記作動データは該制御ユニットで、特性曲線または目標値として記憶された目標作動データと比較され、
該補正制御は、該光源または有機発光ダイオードの駆動電流をトラッキングすることによって、および／または該光源または有機発光ダイオードのパルス幅変調を変化させることによって、および／または該電気光学的ディスプレイのグラフィック制御部（２）のグラフィックスメモリ（３）に記憶されたカラー値を修正することによって行われることを特徴とする、電気光学的ディスプレイ。
【請求項２】
瞬時作動データは、所定のインターバルで、および／または該電気光学的ディスプレイの作動状態の変化時に検出される、請求項１記載の電気光学的ディスプレイ。
【請求項３】
液晶ディスプレイ（４）である、請求項１または２記載の電気光学的ディスプレイ。
【請求項４】
該光源は発光ダイオード（１２）である、請求項１から３までのいずれか１項記載の電気光学的ディスプレイ。
【請求項５】
該光源は異なる色を有する、請求項１から４までのいずれか１項記載の電気光学的ディスプレイ。
【請求項６】
前記異なる色は、赤色および／または緑色および／または青色である、請求項５記載の電気光学的ディスプレイ。
【請求項７】
該補正制御は、該発光ダイオード（１２）または有機発光ダイオードの順方向電圧をトラッキングすることによって行われる、請求項４記載の電気光学的ディスプレイ。
【請求項８】
目標作動データの特性曲線は、温度ドリフト特性曲線および／または経年変化ドリフト特性曲線である、請求項１から７までのいずれか１項記載の電気光学的ディスプレイ。
【請求項９】
該光源の明るさは、表示フィールド（５）において明るさセンサ（１５，１５’，１５’’）によって検出される、請求項１から７までのいずれか１項記載の電気光学的ディスプレイ。
【請求項１０】
前記明るさセンサは、色選択性の明るさセンサ（１５，１５’１５’’）である、請求項９記載の電気光学的ディスプレイ。
【請求項１１】
該制御ユニットはホストコントローラ（１）である、請求項１から１０までのいずれか１項記載の電気光学的ディスプレイ。
【請求項１２】
該光源または有機発光ダイオードはドライバ（１０）によって駆動され、
前記ドライバ（１０）に、該制御ユニットから補正制御信号が供給される、請求項１から１１までのいずれか１項記載の電気光学的ディスプレイ。
【請求項１３】
自動車内に配置されている、請求項１から１２までのいずれか１項記載の電気光学的ディスプレイ。
【請求項１４】
車載モニタのディスプレイであり、および／またはコンビネーションインストルメントのディスプレイまたはヘッドアップディスプレイのディスプレイである、請求項１３記載の電気光学的ディスプレイ。
【発明の詳細な説明】
【技術分野】
【０００１】
本発明は、次の形式の電気光学的ディスプレイに関する。すなわち、グラフィックス制御部を有しており、該電気光学的ディスプレイの表示フィールドを透過的に照明するための１つまたは複数の光源が設けられているか、または複数の有機発光ダイオード（ＯＬＥＤ）から成る表示フィールドが設けられており、該電気光学的ディスプレイの瞬時作動データを検出するための１つまたは複数のセンサが設けられており、該瞬時動作データは制御ユニットへ供給されて目標作動データと比較され、該瞬時動作データが目標動作データからずれている場合には該制御ユニットによって該電気光学的ディスプレイの補正制御が行われる形式の電気光学的ディスプレイに関する。
【背景技術】
【０００２】
透過性の電気光学的ディスプレイとりわけ液晶ディスプレイの後方照明部として使用される異なる色の光源、とりわけ発光ダイオードの特徴は、プロセスに依存して光度および色公差が異なることである。各個別の光源の光度および色が温度および全動作時間で変化する度合は、技術に応じて異なっている。とりわけ、２つまたはそれ以上の数の色の光源を組み合わせることによる混色は、色および明るさの大きな公差に依存する。このような光源がカラーディスプレイの透過的な後方照明に使用されると、すべての表示可能な色が変化してしまう。このずれの大きさは、光源のスペクトル放射と、ディスプレイのカラーフィルタのスペクトル透過と、これらの温度および全動作時間での変化に依存する。
【発明の開示】
【発明が解決しようとする課題】
【０００３】
本発明の課題は、瞬時動作データが目標動作データからずれた場合に簡単に補正して駆動制御できる上記形式の電気光学的ディスプレイを提供することである。
【課題を解決するための手段】
【０００４】
前記課題は、検出される動作データが、光源または有機発光ダイオードの動作温度、および／または該光源の全動作時間、および／または該光源または有機発光ダイオードの駆動電流、および／または該光源または有機発光ダイオードの明るさであり、該検出されるデータは制御ユニットにおいて、特性曲線または目標値として記憶された目標動作データと比較され、該補正制御は、該光源または有機発光ダイオードの駆動電流をトラッキングすることによって、および／または該光源または有機発光ダイオードのパルス幅変調を変化させることによって、および／または電気光学的ディスプレイのグラフィックス制御部のグラフィックスメモリに記憶されたカラー値を修正することによって行われるように構成することによって解決される。
【発明の効果】
【０００５】
前記のような構成によって、個別の色の明るさもこれらの色から得られる混色の明るさも、光源の温度および寿命にわたって一定に維持することができ、かつ、技術上の制約を受けるカラーポイントドリフトも温度および寿命にわたって補償でき、さらに、表示フィールド全体においてカラーポイントを一定に維持することもできる。
【発明を実施するための最良の形態】
【０００６】
瞬時動作データは、たとえば１時間、１０分または１分の所定のインターバルで、ディスプレイの動作中および／または動作状態の変化時に検出することができる。
【０００７】
ディスプレイが自動車に取り付けられている場合、たとえば自動車の始動が、動作データの検出をトリガするディスプレイの動作状態の変化である。
【０００８】
有利には、電気光学的ディスプレイは液晶ディスプレイであり、光源は発光ダイオードである。
【０００９】
カラー表示を実現するためには、光源は異なる色を有する。この異なる色は、赤および／または緑および／または青とすることができる。
【００１０】
発光ダイオードとして構成された光源の駆動電流の補正制御は有利には、発光ダイオードまたは有機発光ダイオードの順方向電流をトラッキングすることによって行われる。
【００１１】
特性曲線として記憶された目標動作データは、温度ドリフト特性曲線および／または経年変化ドリフト特性曲線とすることができる。光源の明るさは有利には、表示フィールドにおいて明るさセンサによって検出される。
【００１２】
ここで明るさセンサが色選択性の明るさセンサである場合、各色ごとに明るさを別個に検出し、別個に補正することができる。
【００１３】
色選択のためには、明るさセンサに相応のカラーフィルタが設けられる。
【００１４】
制御ユニットは、有利にはホストコントローラである。
【００１５】
光源または有機発光ダイオードはドライバによって駆動できる。このドライバには、制御ユニットから補正制御信号が供給される。
【００１６】
有利には、電気光学的ディスプレイは自動車内に配置され、車載モニタのディスプレイおよび／またはコンビネーションインストルメントのディスプレイまたはヘッドアップディスプレイのディスプレイとされる。
【実施例】
【００１７】
本発明の実施例が図面に示されており、以下に詳述されている。
【００１８】
図面に示されたブロック回路図には、ホストコントローラ１が示されている。このホストコントローラ１によって、駆動接続部６を介してグラフィックス制御部２が駆動制御される。グラフィックス制御部２はグラフィックスメモリ３を有しており、このグラフィックスメモリ３には、赤色、緑色および青色のカラー値が記憶されている。
【００１９】
グラフィックス制御部２によって別の駆動接続部７を介して、表示フィールド５を有するグラフィックス液晶ディスプレイ４が駆動される。
【００２０】
さらに、ホストコントローラ１から信号線路８を介して、ＬＥＤ電流制御信号がＬＥＤドライバ１０に供給され、別の信号線路９を介してパルス幅変調制御信号が該ドライバ１０に供給される。このＬＥＤドライバ１０によって、駆動接続部１１を介して発光ダイオード１２が駆動される。
【００２１】
発光ダイオード１２は、赤色光ないしは緑色光ないしは青色光を放出し、表示フィールド５の観察者とは反対側に配置されている。これによって、該表示フィールド５は透過的に照明される。前記観察者は、ここには図示されていない。
【００２２】
図１では、ホストコントローラ１は温度値入力端１３を有している。この温度値入力端１３を介して、ここでは図示されていない温度センサから、発光ダイオード１２でそれぞれ検出された温度に相応する信号が供給される。
【００２３】
さらに時間入力端１４を介して、ホストコントローラ１に発光ダイオード１２の全動作時間に関する信号が供給される。ホストコントローラはこの全動作時間を、内部のタイムベースを介して検出することもできる。
【００２４】
図１のホストコントローラ１には、温度ドリフト特性曲線および経年変化ドリフト特性曲線が記憶されている。
【００２５】
図２では、表示フィールド５に色選択性の明るさセンサ１５，１５’および１５’’が配置されている。これらは別個に、赤色、緑色および青色の明るさを検出し、相応の信号を線路１６，１６’および１６’’を介してホストコントローラ１へ供給する。
【００２６】
図２のホストコントローラ１には、赤色、緑色および青色の明るさ目標値が記憶されている。
【００２７】
ホストコントローラ１に供給された信号に基づいて、該ホストコントローラ１によって相応の駆動信号がＬＥＤドライバ１０へ供給される。この駆動信号は、目標値からずれた場合には補正値となる。
【００２８】
これによって、信号線路８を介してＬＥＤ電流制御信号の補正が行われる。図２ではＬＥＤ電流制御信号は、ＬＥＤ順方向電流制御信号である。信号線路９を介してパルス幅変調制御信号の補正が行われる。この制御信号に相応して、発光ダイオード１２はＬＥＤドライバ１０によって駆動される。
【図面の簡単な説明】
【００２９】
【図１】電気光学的ディスプレイの第１の実施例のブロック回路図である。
【図２】電気光学的ディスプレイの第２の実施例のブロック回路図である。
【図１】
2006039553.tif 000003
【図２】
2006039553.tif 000004